(57)【要約】【課題】一覧表示される情報の表示順序の変更操作を操作スイッチに依ることなく直感的に操作することができ、容易に表示順序を変更できる情報処理装置を提供する。【解決手段】情報を表示する表示部（１１）と、利用者のタッチ操作入力を受け付ける入力部（１２）と、入力部（１２）による入力に基づき表示部（１１）に表示される情報を制御する制御部（６０）と、を備える画像形成装置１であって、制御部（６０）は、複数の情報を予め設定された第１の順序で前記表示部に一覧表示する第１順序表示機能（６０１）と、入力部（１２）において利用者のタッチ操作による円弧状のジェスチャ操作を検出した場合は、第１の順序と異なる第２の順序で表示部（１１）に一覧表示する第２順序表示機能（６０２）と、を備えることを特徴とするものである。【選択図】図２
2014059604.tif 000002
【特許請求の範囲】
【請求項１】
情報を表示する表示部と、利用者のタッチ操作入力を受け付ける入力部と、前記入力部による入力に基づき前記表示部に表示される情報を制御する制御部と、を備える情報処理装置であって、
前記制御部は、複数の情報を予め設定された第１の順序で前記表示部に一覧表示する機能と、前記入力部において利用者のタッチ操作による円弧状のジェスチャ操作を検出した場合は、前記第１の順序と異なる第２の順序で前記表示部に一覧表示する機能と、を備えることを特徴とする情報処理装置。
【請求項２】
前記第１の順序は、数値順、文字コード順、５０音順、アルファベット順のうちの何れかの昇順あるいは降順であり、
前記第２の順序は、前記第１の順序と逆順とすることを特徴とする請求項１に記載の情報処理装置。
【請求項３】
前記制御部は、前記入力部において利用者によるマルチタッチ操作による円弧状のジェスチャ操作を検出した場合は、一覧表示された複数の情報の表示順を変更する機能を備えることを特徴とする請求項１または２に記載の情報処理装置。
【請求項４】
前記表示部に表示される情報は、データ送信先のアドレス一覧であることを特徴とする請求項１から３のうちの何れか一項に記載の情報処理装置。
【請求項５】
前記情報処理装置は、少なくとも画像出力機能、コピー機能、ファックス機能のうちの何れかの機能を含む複数の機能を備える複合機を用いることを特徴とする請求項１から４のうちの何れか一項に記載の情報処理装置。
【発明の詳細な説明】
【技術分野】
【０００１】
本発明は、情報処理装置に係り、特に、タッチ操作により入力操作が可能な情報処理装置に関する。
【背景技術】
【０００２】
近年、表示部を備える装置において、表示部に一覧表示される複数の情報をユーザ操作によって表示順序を切替えることで、ユーザが所望する情報を判り易く表示することを容易にしたものが知られている。
【０００３】
従来技術として、例えば、表示部に表示されるデータの表示位置を移動するスイッチ、表示順選択手段等を備えて、表示部に一覧表示されるデータの表示順をユーザ操作によって容易に切替え可能にしたデータ表示装置が開示されている（特許文献１を参照）。
【先行技術文献】
【特許文献】
【０００４】
【特許文献１】特開２００５−１５９６０８号公報
【発明の概要】
【発明が解決しようとする課題】
【０００５】
しかしながら、特許文献１のような方式では、表示装置等の操作に不慣れなユーザが表示部に表示されたデータの表示順を変更しようとする場合に、変更ボタン（操作スイッチ）を探したり、表示順選択手段により変更される一覧表示の表示状態を考えて、例えば、表示順を昇順にするか降順にするかを設定しなければならず、操作が簡単にできないという問題があった。
【０００６】
本発明は、上記従来の問題点に鑑みてなされたものであって、一覧表示される情報の表示順序の変更操作を操作スイッチに依ることなく直感的に操作することができ、容易に表示順序を変更できる情報処理装置を提供することを目的とする。
【課題を解決するための手段】
【０００７】
上述した課題を解決するための本発明に係る情報処理装置は、次の通りである。
【０００８】
本発明は、情報を表示する表示部と、利用者のタッチ操作入力を受け付ける入力部と、前記入力部による入力に基づき前記表示部に表示される情報を制御する制御部と、を備える情報処理装置であって、前記制御部の機能として、複数の情報を予め設定された第１の順序で前記表示部に一覧表示する機能と、前記入力部において利用者のタッチ操作による円弧状のジェスチャ操作を検出した場合は、前記第１の順序と異なる第２の順序で前記表示部に一覧表示する機能と、を備えることを特徴とするものである。
【０００９】
また、本発明は、前記第１の順序を、数値順、文字コード順、５０音順、アルファベット順のうちの何れかの昇順あるいは降順とし、前記第２の順序を、前記第１の順序と逆順とすることが好ましい。
【００１０】
また、本発明は、前記制御部の機能として、前記入力部において利用者によるマルチタッチ操作による円弧状のジェスチャ操作を検出した場合は、一覧表示された複数の情報の表示順を変更する機能を備えることが好ましい。
【００１１】
また、本発明は、前記表示部に表示される情報として、データ送信先のアドレス一覧が表示されることが好ましい。
【００１２】
また、本発明は、前記情報処理装置として、少なくとも画像形成機能、コピー機能、ファックス機能のうちの何れかの機能を含む複数の機能を備える複合機を用いることが好ましい。
【発明の効果】
【００１３】
本発明の情報処理装置によれば、情報を表示する表示部と、利用者のタッチ操作入力を受け付ける入力部と、前記入力部による入力に基づき前記表示部に表示される情報を制御する制御部と、を備える情報処理装置であって、前記制御部の機能として、複数の情報を予め設定された第１の順序で前記表示部に一覧表示する機能と、前記入力部において利用者のタッチ操作による円弧状のジェスチャ操作を検出した場合は、前記第１の順序と異なる第２の順序で前記表示部に一覧表示する機能と、を備えることで、操作スイッチに依ることなく、タッチ操作により直感的に操作することができるので、一覧表示された情報の表示順序を容易に切替えて表示することができる。
【図面の簡単な説明】
【００１４】
【図１】本発明の第１実施形態に係る情報処理装置として採用する画像形成装置の操作部の構成を示す説明図である。
【図２】（ａ）は前記画像形成装置の構成をブロック図で示す説明図、（ｂ）は前記画像形成装置を構成する表示部の表示画面の一例を示す説明図である。
【図３】前記表示部に表示される表示画面の一例として「アドレス帳」による送信宛先のリスト表示の一例を示す説明図である。
【図４】前記表示部に表示される「アドレス帳」の中の宛先の基本情報を登録する画面の一例を示す説明図である。
【図５】前記表示部に表示される宛先が登録されるカテゴリを選択する設定画面の一例を示す説明図である。
【図６】前記表示部に表示されるＥｍａｉｌアドレスの設定画面の一例を示す説明図である。
【図７】前記表示部に表示されるファックス番号の設定画面の一例を示す説明図である。
【図８】前記表示部に表示されるジョブの種類を選択する設定画面の一例を示す説明図である。
【図９】前記表示部に表示されるファックス番号が登録された宛先のリスト表示の一例を示す説明図である。
【図１０】前記表示部に表示されるファックス番号またはＥｍａｉｌアドレスが登録された宛先のリスト表示の一例を示す説明図である。
【図１１】前記表示部に表示されるカテゴリを選択する設定画面の一例を示す説明図である。
【図１２】前記表示部にて選択たれた「営業部」のカテゴリが付与された宛先のリスト表示の一例を示す説明図である。
【図１３】前記画像形成装置の入力部におけるタッチジェスチャ操作による入力操作の一例を示す説明図である。
【図１４】前記入力部におけるタッチジェスチャ操作後の表示部に表示される宛先リストのリスト表示の一例を示す説明図である。
【図１５】前記画像形成装置の操作部におけるタッチジェスチャ操作による宛先リストの宛先の並び順を変更する処理を示すフローチャートである。
【図１６】第２実施形態に係る画像形成装置の表示部に表示される表示画面の一例としてアルファベット表示による送信宛先のリスト表示の一例を示す説明図である。
【図１７】第３実施形態に係る画像形成装置の入力部におけるマルチタッチジェスチャ操作による入力操作の一例を示す説明図である。
【図１８】本発明の実施形態に係る画像形成装置の表示部に表示される情報の一例としてファイルリスト表示を示す説明図である。
【図１９】前記表示部に表示される情報の一例としてジョブリスト表示を示す説明図である。
【発明を実施するための形態】
【００１５】
（第１実施形態）
以下、本発明の情報処理装置を実施するための形態について図面を参照して説明する。
図１は発明を実施する形態の一例であって、本発明の第１実施形態に係る情報処理装置として採用する画像形成装置の操作部の構成を示す説明図、図２（ａ）は前記画像形成装置の構成をブロック図で示す説明図、（ｂ）は前記画像形成装置を構成する表示部の表示画面の一例を示す説明図である。
【００１６】
第１実施形態に係る情報処理装置として機能する複合機である画像形成装置１は、図１、図２（ａ）に示すように、情報を表示する表示部１１と、利用者のタッチ操作入力を受け付ける入力部１２と、入力部１２による入力に基づき表示部１１に表示される情報を制御する制御部６０と、を備える画像形成装置であって、本発明に係る情報処理装置の特徴的な構成を採用したものである。
【００１７】
まず、第１実施形態に係る画像形成装置１の概略構成について説明する。
画像形成装置１は、図１、図２（ａ）に示すように、主に、表示部１１と入力部１２を具備する操作部１０と、原稿読取部２０と、画像形成部３０と、ＦＡＸモデムを備える第１通信部４０と、ネットワークカード（ＮＩＣ）を備える第２通信部５０と、それぞれの構成部を制御する制御部６０とを備えて構成されている。
【００１８】
表示部１１は、画像（情報）を表示するためのもので、例えば、バックライト付きの液晶表示装置（図示省略）等を備えて構成され、入力部１２の下側に重ねて構成される。
【００１９】
入力部１２は、ユーザからの入力を検出するもので、例えば、透明な電極を設けた透明なシートを対向させて設け、その接触により電圧を測定し、入力位置を検出するアナログ抵抗膜方式のタッチパネルを備えて構成され、表示部１１の上に重ねて設けられる。
【００２０】
ここで、第１実施形態の画像形成装置１の特徴的な構成について説明する。
第１実施形態では、画像形成装置１は、画像出力機能、コピー機能、ファックス機能を含む複数の機能を備える複合機であって、表示部１１には、図２（ｂ）に示すように、画像形成装置１の待機状態のときに、画像形成装置１の有する動作モードである「コピー」、「ＳＣＡＮ  to  Ｅｍａｉｌ送信」、「ファクシミリ送信」が選択できるように、コピーのアイコン１１１、ＳＣＡＮ  ｔｏ  Ｅｍａｉｌのアイコン１１２、ファクシミリ送信のアイコン１１３が表示される。
【００２１】
制御部６０は、特徴的な機能として、図２（ａ）に示すように、第１順序表示機能６０１と、第２順序表示機能６０２と、表示順序変更機能６０３とを備えている。
【００２２】
第１順序表示機能６０１は、複数の情報を予め設定された第１の順序で表示部１１に一覧表示する機能である。
【００２３】
第２順序表示機能６０２は、入力部１２において利用者のタッチ操作による円弧状のジェスチャ操作を検出した場合は、第１順序表示機能６０１による順序と異なる第２の順序で表示部１１に一覧表示する機能である。
【００２４】
表示順序変更機能６０３は、入力部１２において利用者によるマルチタッチ操作による円弧状のジェスチャ操作を検出した場合は一覧表示された複数の情報の表示順を変更する機能である。
【００２５】
次に、画像形成装置１において、動作モードとしてＳＣＡＮ  ｔｏ  Ｅｍａｉｌ送信のモードを設定したときの、送信宛先をリスト表示する場合について図面を参照して説明する。
図３は第１実施形態の画像形成装置の表示部に表示される表示画面の一例として「アドレス帳」による送信宛先のリスト表示の一例を示す説明図である。
【００２６】
画像形成装置１において、動作モードとしてＳＣＡＮ  ｔｏ  Ｅｍａｉｌ送信を設定して、「アドレス帳」による送信宛先のリスト表示が指示されると、表示部１１には、図３に示すように、Ｅｍａｉｌ送信宛先画面１１２ａが表示される。
【００２７】
Ｅｍａｉｌ送信宛先画面１１２ａには、図３に示すように、宛先リスト１１２ａ１、表示切替えスイッチ１１２ａ２、インデックスバー１１２ａ３、インデックス表示を切替えるアルファベット／５０音切替えボタン１１２ａ４、スクロールバー１１２ａ５、カテゴリ選択スイッチ１１２ａ６、ジョブ種類選択スイッチ１１２ａ７、スタートボタン１１２ａ８等が表示される。
【００２８】
宛先リスト１１２ａ１は、いわゆる「５０音順」に図中の上から下に向かい、例えば「青木」、「宇野」、「加藤」、「菊池、「久喜」の順に表示されている。
インデックスバー１１２ａ３には、５０音順に「あかさたな・・・」とひらがなで表示さている。
【００２９】
例えば、図３に示す表示状態において、ユーザが送信原稿を原稿読取部にセットし、宛先リスト１１２ａ１から「青木」を選択してタッチし、スタートボタン１１２ａ８をタッチすると、アドレス帳の「青木」の宛先に対して予め設定された解像度及びファイル形式で原稿を読取り、「青木」で指定された宛先に向けて画像データを送信する。
【００３０】
また、宛先リスト１１２ａ１による宛先の選択は、「青木」と「宇野」の２つを選択してＥｍａｉｌ送信を「スタート」してもよい。このときは宛先の「青木」、「宇野」とものに同一の原稿画像が送信される(同報送信)。
【００３１】
なお、第１実施形態では、宛先リスト１１２ａ１に表示される情報として「青木」などの名前が表示されるようにしているが、例えば、データ送信先のアドレス一覧が表示されるようにしてもよい。これにより、データの情報を正確に把握できる。
【００３２】
次に、画像形成装置１において、「アドレス帳」への登録操作について説明する。
図４は第１実施形態の画像形成装置の表示部に表示される「アドレス帳」の中の宛先の基本情報を登録する画面の一例を示す説明図、図５は前記表示部に表示される宛先が登録されるカテゴリを選択する設定画面の一例を示す説明図である。
【００３３】
画像形成装置１において、ユーザがアドレス帳に宛先を登録する場合は、図４に示すように、まず、基本登録画面１１２ｂに名前(宛先の名前、例えば「青木」)１１２ｂ１を登録する。
【００３４】
以下、検索文字１１２ｂ２は、ひらがなまたはアルファベット１文字を設定することで、図３のように一覧リスト表示されるときの並び順を決めるときに用いられる。
検索番号１１２ｂ３は、新しく宛先が登録されるごとに装置が自動的に付与（最終値に＋１）するが、切りの良い値にユーザが手動で変更しても良い。
ＯＫボタン１１２ｂ５は、基本登録画面１１２ｂにおいて入力された事項を決定して登録する。
【００３５】
カテゴリ選択１１２ｂ４は、図５に示すように、宛先をグループごとに整理するために予め登録されたグループリスト１１２ｃの中から、例えば、営業部１１２ｃ１または総務部１１２ｃ２の何れかをユーザが選択して付与する。
ＯＫボタン１１２ｃ３は、グループリスト１１２ｃにおける選択を決定して登録する。
【００３６】
画像形成装置１においては、検索文字１１２ｂ２、検索番号１１２ｂ３の設定により、図３に示すＥｍａｉｌ送信宛先画面１１２ａの表示方法（表示形態）が変化する。
【００３７】
例えば、検索文字１１２ｂ２にひらがなが設定された場合は、図３のＥｍａｉｌ送信宛先画面１１２ａに示すように、アルファベット／５０音切替えボタン１１２ａ４をタッチして「５０音」のモードに設定した時に、インデックスバー１１２ａ３が「あ〜わ  全」の表示となり、検索文字１１２ｂ２にひらがなが設定された宛先が一覧表示される。
【００３８】
図３に示す表示切替えスイッチ１１２ａ２は、１回押すたびに検索文字の昇順→検索文字の降順→検索番号順→検索文字の昇順→・・のローテート切り替えとなっている。これにより、検索文字１１２ｂ２と検索番号１１２ｂ３に基づく宛先の一覧表示の並び順を変更して表示し直すことができる。
【００３９】
表示切替えスイッチ１１２ａ２の右脇の三角記号「▲／▼」により昇順、降順の向きを示している。
【００４０】
インデックスバー１１２ａ３は、例えば、「あ」の部分をタッチすることにより「あ行」の検索文字の宛先のみを抽出表示するようになっている。
さらに、「あ」を長押しすると、インデックスバーの「あ」の位置の近傍に「あ」、「い」、「う」、「え」、「お」のボタンが新たに出現して、その状態で「い」ボタンを押すことにより、検索文字「い」の宛先のみ抽出できるようになっている。出現したボタンは所定時間経過後に消去されるようになっている。
【００４１】
次に、画像形成装置１において、宛先に対するＥｍａｉｌアドレスの設定画面を示す。
図６は第１実施形態の画像形成装置の表示部に表示されるＥｍａｉｌアドレスの設定画面の一例を示す説明図である。
【００４２】
画像形成装置１において、ユーザがＥｍａｉｌアドレスを設定する場合は、図６に示すように、Ｅｍａｉｌアドレス設定画面１１２ｄを表示して、設定する宛先（名前）に対応するメールアドレス１１２ｄ１、解像度１１２ｄ２、ファイル形式１１２ｄ３を指定する。
【００４３】
ＯＫボタン１１２ｄ４は、Ｅｍａｉｌアドレス設定画面１１２ｄにおいて入力された事項を決定して登録する。
【００４４】
次に、画像形成装置１において、宛先に対するファックス番号の設定画面を示す。
図７は第１実施形態の画像形成装置の表示部に表示されるファックス番号の設定画面の一例を示す説明図である。
【００４５】
画像形成装置１において、ユーザがファックス番号を設定する場合は、図７に示すように、ファックス番号設定画面１１２ｅを表示して、設定する宛先（名前）に対応するファックス番号１１２ｅ１、解像度１１２ｅ２、圧縮形式１１２ｅ３を指定する。
【００４６】
ＯＫボタン１１２ｅ４は、ファックス番号設定画面１１２ｅにおいて入力された事項を決定して登録する。
【００４７】
以上のようにして、宛先の情報が登録された「アドレス帳」による宛先のリスト表示が図３に示すように表示される。
【００４８】
次に、画像形成装置１の表示部１１に表示されるＥｍａｉｌ送信宛先画面１１２ａ（図３を参照）における、ジョブの種類で絞り込むジョブ種類選択スイッチ１１２ａ７の機能について説明する。
図８は第１実施形態の画像形成装置の表示部に表示されるジョブの種類を選択する設定画面の一例を示す説明図、図９は前記表示部に表示されるファックス番号が登録された宛先のリスト表示の一例を示す説明図、図１０は前記表示部に表示されるファックス番号またはＥｍａｉｌアドレスが登録された宛先のリスト表示の一例を示す説明図である。
【００４９】
図２（ｂ）の表示部１１において、ＳＣＡＮ  ｔｏ  Ｅｍａｉｌ送信（アイコン１１２）が選択されて、画像形成装置１の動作モードとして、ＳＣＡＮ  ｔｏ  Ｅｍａｉｌ送信が指定された直後は、「アドレス帳」からＥｍａｉｌアドレスが設定されている宛先のみを抽出してリスト表示される。
【００５０】
第１実施形態において、画像形成装置１における「アドレス帳」では、上述したように１つの宛先に対して「Ｅｍａｉｌアドレス」と「ファックス番号」の２種類の情報を登録することができる。
【００５１】
ここで、図３に示すＥｍａｉｌ送信宛先画面１１２ａにおいてジョブ種類選択スイッチ１１２ａ７が押されると、図８に示すように、ジョブ種類選択画面１１２ｆの表示に切り替わり、例えば、ジョブ選択スイッチ１１２ｆ１，１１２ｆ２，１１２ｆ３により「絞り込まない」、「Ｅ−ＭＡＩＬ」、「ファックス」が選択できる。
【００５２】
ＯＫボタン１１２ｆ４は、ジョブ種類選択画面１１２ｆにおいて選択された事項を決定して実行する。
【００５３】
ここで、ジョブ選択スイッチ１１２ｆ３にタッチして「ファックス」を選択すると、図９に示すように、ファックス登録された宛先リスト１１３ａ１、表示切替えスイッチ１１３ａ２、インデックスバー１１３ａ３、インデックス表示を切替えるアルファベット／５０音切替えボタン１１３ａ４、スクロールバー１１３ａ５、カテゴリ選択スイッチ１１３ａ６、ジョブ種類選択スイッチ１１３ａ７、スタートボタン１１３ａ８等が表示されるファックス送信宛先画面１１３ａに切り替わる。
【００５４】
この状態で、例えば「伊藤」を選択してスタートボタン１１３ａ８を押すと、「伊藤」のファックス番号に対して送信される。
【００５５】
また、ジョブ選択スイッチ１１２ｆ１にタッチして「絞り込まない」を選択すると、図１０に示すように、「アドレス帳」に登録されている全ての宛先リスト１１３ａ１１が表示される。
【００５６】
この状態で、例えば「青木」、「伊藤」、「宇野」を選択すると３つの宛先に同報送信される。
【００５７】
なお、第１実施形態では、「青木」へはＥｍａｉｌ、「伊藤」へはファックス、「宇野」はＥｍａｉｌとファックスの両方が登録されているが、画像形成装置１の動作モード（ここではＥｍａｉｌ）が優先されるため、「宇野」へはＥｍａｉｌで送信される。
同一の宛先に対してＥｍａｉｌとファックスの両方で送信することは無駄なので、そのような処理はしないよう設定されている。
【００５８】
次に、画像形成装置１の表示部１１に表示されるＥｍａｉｌ送信宛先画面１１２ａ（図３を参照）における、カテゴリで絞り込むカテゴリ選択スイッチ１１２ａ６の機能について説明する。
図１１は第１実施形態の画像形成装置に表示部に表示されるカテゴリを選択する設定画面の一例を示す説明図、図１２は前記表示部にて選択たれた「営業部」のカテゴリが付与された宛先のリスト表示の一例を示す説明図である。
【００５９】
図３において、表示部１１に表示されている宛先リスト１１２ａ１は、カテゴリでは絞り込まれていない。この状態でカテゴリ選択スイッチ１１２ａ６が押されると、図１１に示すように、カテゴリ選択画面１１２ｇの表示に切り替わり、例えば、カテゴリ選択スイッチ１１２ｇ１，１１２ｇ２，１１２ｇ３により「絞り込まない」、「営業部」、「総務部」が選択できる。
【００６０】
ＯＫボタン１１２ｇ４は、カテゴリ選択画面１１２ｇにおいて選択された事項を決定して実行する。
【００６１】
ここで、カテゴリ選択スイッチ１１２ｇ２にタッチして「営業部」を選択すると、図１２に示すように、営業部で登録された宛先リスト１１２ｈ１、表示切替えスイッチ１１２ｈ２、インデックスバー１１２ｈ３、インデックス表示を切替えるアルファベット／５０音切替えボタン１１２ｈ４、スクロールバー１１２ｈ５、カテゴリ選択スイッチ１１２ｈ６、ジョブ種類選択スイッチ１１２ｈ７、スタートボタン１１２ｈ８等が表示されるファックス送信宛先画面１１２ｈに切り替わる。
【００６２】
この状態で、例えば「伊藤」を選択してスタートボタン１１２ｈ８を押すと、「伊藤」のファックス番号に対して送信される。
【００６３】
次に、第１実施形態の画像形成装置１の特徴的な作用について説明する。
ここでは、画像形成装置１の操作部１０でのボタン操作によることなく、入力部１２における「円弧状のタッチジェスチャ操作」により、宛先リストの宛先の並び順を変更する操作について説明する。
図１３は第１実施形態の画像形成装置の入力部におけるタッチジェスチャ操作による入力操作の一例を示す説明図、図１４は前記入力部におけるタッチジェスチャ操作後の表示部に表示される宛先リストのリスト表示の一例を示す説明図である。
【００６４】
第１実施形態において、画像形成装置の表示部１１に重ねて構成された入力部１２におけるタッチジェスチャ操作による入力操作を行う場合は、図１３に示すように、指を表示部１１（入力部１２）にタッチした状態で円弧状に１８０゜程度なぞるタッチジェスチャ操作を行う。
【００６５】
これにより、表示部１１においては、図１４に示すように、表示切替えスイッチ１１２ａ２が昇順から降順に切り変えられて、宛先リスト１１２ａ１が昇順から降順に並び変えられて表示される。同時にインデックスバー１１２ａ３の並び順序も逆順に表示される。
【００６６】
以上のように、第１実施形態によれば、画像形成装置の表示部１１において、宛先リストの宛先の並び順を変更する場合に、操作スイッチに依ることなく、タッチジェスチャにより直感的に操作することができるので、一覧表示された情報の表示順序を容易に切替えて表示することができる。
【００６７】
次に、第１実施形態の画像形成装置１の操作部１０の入力部１２においてタッチジェスチャ操作により情報（画像データ）の送信を行う操作について、フローチャートに沿って説明する。
図１５は第１実施形態の画像形成装置の操作部におけるタッチジェスチャージェスチャ操作による宛先リストの宛先の並び順を変更する処理を示すフローチャートである。
【００６８】
画像形成装置１において、アドレス帳の表示を行うようユーザが操作するとフローがスタートする。
【００６９】
最初に、表示部１１に表示されるＥｍａｉｌ送信宛先画面１１２ａには、図３に示すように、一覧表示として宛先リスト１１２ａ１が昇順により表示される（ステップＳ１）。
【００７０】
そして、入力部１２においてタッチパネルへのタッチ操作が検出されたか否かが判断される（ステップＳ２）。
【００７１】
ステップＳ２において、タッチパネルへのタッチ操作が検出されたと判断された場合は、タッチ操作が円弧状のタッチジェスチャ操作であるか否かが判断される（ステップＳ３）。一方、ステップＳ２において、タッチパネルへのタッチ操作が検出されていないと判断された場合は、タッチ操作の検出が繰り返し行われる。
【００７２】
ステップＳ３において、タッチ操作が円弧状のタッチジェスチャ操作であると判断された場合は、宛先リスト１１２ａ１の並び順を変更して再表示して（ステップＳ４）、ステップＳ６に進む。一方、ステップＳ３において、タッチ操作が円弧状のタッチジェスチャ操作であると判断されなかった場合は、表示切替えスイッチ１１２ａ２が押されたか否かが判断される（ステップＳ５）
【００７３】
ステップＳ５において、表示切替えスイッチ１１２ａ２が押されたと判断された場合は、ステップＳ４に進み宛先リスト１１２ａ１の並び順を変更して再表示する。一方、ステップＳ５において、表示切替えスイッチ１１２ａ２が押されていないと判断された場合は、ステップＳ６に進む。
【００７４】
ステップＳ６では、宛先が選択された否かが判断される。
ステップＳ６において、宛先が選択されていないと判断された場合は、宛先を設定して（ステップＳ７）、ステップＳ８に進む。一方、ステップＳ６において、宛先が選択されたと判断された場合は、そのままステップＳ８に進む。
【００７５】
ステップＳ８では、他の操作が行われたか否かが判断される。
ステップＳ８において、他の操作（例えば、表示切り替えボタンの操作やインデックスバーの操作）が行われたと判断された場合は、操作に該当する処理が実行され（ステップＳ９）、ステップＳ１０に進む。一方、ステップＳ８において、他の操作が行われていないと判断された場合は、そのままステップＳ１０に進む。
【００７６】
ステップＳ１０では、送信するスタートボタンが押されたか否かが判断される。
ステップＳ１０において、スタートボタンが押されたと判断された場合は、ステップＳ１１に進む。一方、ステップＳ１０において、スタートボタンが押されていないと判断された場合は、ステップＳ２に戻る。
【００７７】
ステップＳ１１では、宛先が設定済か否かが判断される。
ステップＳ１１において、宛先が設定されていないと判断された場合は、表示部１１にエラー表示され（ステップＳ１２）、ステップＳ２に戻る。
【００７８】
一方、ステップＳ１１において、宛先が設定されていると判断された場合は、原稿読取り処理が実行され（ステップＳ１３）、送信処理が実行されて（ステップＳ１４）、情報の送信が終了する。
【００７９】
以上のように構成したので、第１実施形態によれば、情報を表示する表示部１１と、利用者のタッチ操作入力を受け付ける入力部１２と、入力部１２による入力に基づき表示部１１に表示される情報を制御する制御部６０と、を備える画像形成装置１において、制御部６０の構成として、複数の情報を予め設定された第１の順序で表示部１１に一覧表示する第１順序表示機能６０１と、入力部１２において利用者のタッチ操作による円弧状のジェスチャ操作を検出した場合は、第１順序表示機能６０１による表示順序と異なる第２の順序で表示部１１に一覧表示する第２順序表示機能６０２と、を備えることで、一覧表示される情報の表示順序の変更操作を操作スイッチに依ることなく直感的に操作することができるので、一覧表示された情報の表示順序を容易に切替えて表示することができる。
【００８０】
また、第１実施形態によれば、第１順序表示機能６０１による表示順序を５０音順に名前を昇順あるいは降順で表示するようにしているが、数値順、文字コード順、アルファベット順のうちの何れかの昇順あるいは降順としてもよい。また、第２順序表示機能６０２による表示順序を、第１順序表示機能と逆順とすることで、表示順序の切替えを明確にすることができる。
【００８１】
なお、第１実施形態によれば、情報処理装置として画像形成装置１を用いているが、少なくとも画像形成機能、コピー機能、ファックス機能のうちの何れかの機能を含む複数の機能を備える複合機を用いることで、複合機における情報の表示を判り易くすることができる。
【００８２】
（第２実施形態）
次に、第２実施形態について説明する。
図１６は第２実施形態に係る画像形成装置の表示部に表示される表示画面の一例としてアルファベット表示による送信宛先のリスト表示の一例を示す説明図である。
【００８３】
第１実施形態においては、画像形成装置１の表示部１１に表示される宛先リストを、日本語表示で５０音順に表示する例を示したが、第２実施形態では、図１６に示すように、表示部１１に表示される宛先リストをアルファベット表示したものである。
【００８４】
第２実施形態は、画像形成装置１において、図１６に示すように、宛先リスト１１２ａ１１をアルファベットで入力し、アルファベット／５０音切替えボタン１１２ａ４を押してアルファベットのモードにすることで、インデックスバー１１２ａ３が「Ａ〜Ｗ  全」の表示となり、「検索文字」にアルファベットが設定された宛先が一覧表示されるように構成されている。
【００８５】
この表示状態で、表示部１１上の入力部１２におけるタッチジェスチャ操作による入力操作を行う場合は、第１実施形態と同様に、図１３に示すように、指を表示部１１にタッチした状態で円弧状に１８０゜程度なぞるタッチジェスチャ操作を行う。
【００８６】
これにより、表示部１１においては、表示切替えスイッチ１１２ａ２が昇順から降順に切り変えられて、宛先リスト１１２ａ１が昇順から降順に並び変えられて表示される。同時にインデックスバー１１２ａ３の並び順序も逆順に表示される。
【００８７】
以上のように構成したので、第２実施形態によれば、宛先リストを使用者の所望するアルファベット表示や日本語表示で５０音順に簡単に切替え表示することができる。
【００８８】
（第３実施形態）
次に、第３実施形態について説明する。
図１７は第３実施形態に係る画像形成装置の入力部におけるマルチタッチジェスチャ操作による入力操作の一例を示す説明図である。
【００８９】
第１実施形態においては、図１３に示すように、タッチジェスチャ操作により、宛先リスト１１２ａ１の宛先の並び順を変更するようにしたが、第３実施形態では、制御部６０の１機能である表示順序変更機能６０３により、図１７に示すように、マルチタッチの円弧状ジェスチャ操作により宛先リスト１１２ａ１の宛先の並び順を変更するものである。
【００９０】
第３実施形態では、画像形成装置１の表示部１１上の入力部１２において、図１７に示すように、例えば、２本の指（例えば、親指と人差し指）によるマルチタッチ操作を行う場合、一方の指を回転中心にして、あるいは２本の指の間を回転中心にして、他方の指を円弧状に、あるいは２本の指を円弧状に動かすことで、マルチタッチによるジェスチャ操作により、第１実施形態のタッチジェスチャ操作を行う場合と同様に、宛先リスト１１２ａ２１の宛先の並び順を変更することができる。
【００９１】
以上のように構成したので、第３実施形態によれば、マルチタッチによるジェスチャ操作により、シングルタッチによるジェスチャ操作の場合と同様に直感的に操作することができるので、操作スイッチに依ることなく、表示順序を容易に変更して表示することができる。
【００９２】
なお、上述した実施形態においては、タッチ操作により入力操作が可能に構成したが、表示部１１のタッチ操作による誤操作を防止するために、スワイプ操作が可能な画面領域を適宜設定するようにしても良い。例えば、図１７に示すＥｍａｉｌ送信宛先画面１１２ａの右側のボタン表示の無い領域をジェスチャ可能領域１１２ａａとして設定するようにしてもよい。または、インデックスバー１１２ａ３の表示領域をジェスチャ可能領域として設定するようにしてもよい。
【００９３】
また、上述した実施形態においては、一覧表示される情報を、日本語５０音やアルファベットの順に昇順、降順で表示するようにしているが、一覧表示される情報が数値を含むものであれば、数値に基づく昇順、降順で表示したり、その順序を切替えるようにしてもよい。また、一覧表示される情報が文字コードを用いるものであっても、上述した実施形態における操作体系と同様な展開が可能である。
【００９４】
また、上述した実施形態においては、画像形成装置１の表示部１１に表示される情報としてアドレス帳の送信宛先のリスト１１２ａ１等を表示するようにしているが、本発明はこれに限定されるものではない。
【００９５】
以下に、画像形成装置１の表示部１１に表示される情報のその他の例を示す。
図１８は本発明の実施形態に係る画像形成装置の表示部に表示される情報の一例としてファイルリスト表示を示す説明図、図１９は前記表示部に表示される情報の一例としてジョブリスト表示を示す説明図である。
【００９６】
画像形成装置１の表示部１１に表示される情報の表示例として、例えば、図１８に示すように、画像形成装置１に登録されたファイルリスト２００を表示するようにしてもよい。ファイルリスト２００としては、例えば、出張報告書、決裁書、業務レポート等を含み、それぞれのファイルリストには登録情報として作成された日付情報２０１等が含まれている。
【００９７】
これにより、ファイルリスト２００は、表示部１１におけるタッチジェスチャ操作により並び順序をファイル名順や登録日時順に変更することができる。
【００９８】
また、その他の表示例として、例えば、図１９に示すように、実行されたジョブのジョブリスト３００を表示するようにしてもよい。ジョブリスト３００としては、例えば、ｓｈｅｅｔ１、ｒｅｐｏｒｔ、ｋｅｓｓａｉ等を含み、それぞれのジョブリストには登録情報として実行された日時情報３０１等が含まれている。
【００９９】
これにより、ジョブリスト３００は、表示部１１におけるタッチジェスチャ操作により並び順序をジョブ名順や登録時刻順に変更することができる。
【０１００】
また、上述した実施形態においては、シングルタッチによる円弧状のジェスチャ操作やマルチタッチによる円弧状のジェスチャ操作により、一覧表示された情報の表示順序を切替えるようにしているが、本発明は、タッチ操作による表示切換え操作をこれに限定されるものではない。
【０１０１】
画像形成装置１の表示部１１におけるタッチ操作による表示切換え操作の変形例として、例えば、シングルタッチで回転するジェスチャ操作により画面のスクロールを行い、マルチタッチで回転するジェスチャ操作により表示順序を変更するようにしてもよい。
【０１０２】
このように構成することで、シングルタッチによる回転操作とマルチタッチによる回転操作に対して別々の表示操作を割り当てることで、モード切替やボタン操作により選択する手間を省くことができるので、簡単な操作を実現することができる。
【０１０３】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１０４】
１  画像形成装置（情報処理装置）
１０  操作部
１１  表示部
１２  入力部
６０  制御部
１１２ａ１  宛先リスト
１１２ａａ  ジェスチャ可能領域
２００  ファイルリスト
２０１  日付情報
３００  ジョブリスト
３０１  日時情報
６０１  順序表示機能
６０２  順序表示機能
６０３  表示順序変更機能
【図１】
2014059604.tif 000003
【図２】
2014059604.tif 000004
【図３】
2014059604.tif 000005
【図４】
2014059604.tif 000006
【図５】
2014059604.tif 000007
【図６】
2014059604.tif 000008
【図７】
2014059604.tif 000009
【図８】
2014059604.tif 000010
【図９】
2014059604.tif 000011
【図１０】
2014059604.tif 000012
【図１１】
2014059604.tif 000013
【図１２】
2014059604.tif 000014
【図１３】
2014059604.tif 000015
【図１４】
2014059604.tif 000016
【図１５】
2014059604.tif 000017
【図１６】
2014059604.tif 000018
【図１７】
2014059604.tif 000019
【図１８】
2014059604.tif 000020
【図１９】
2014059604.tif 000021